【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  ユーザへの送信情報を受信する受信手段と、
前記受信手段によって受信した送信情報の送付先を、当該ユーザのユーザ情報に基づいて決定する決定手段と、
前記送信情報に含まれるデータを内容のタイプ別に分割する分割手段と、
前記分割手段により分割された各データを、前記決定手段で決定された送付先の処理能力に適合するフォーマットに変換する変換モジュールを指示する指示手段と、
前記指示手段の指示に基づいて前記変換モジュールによりフォーマット変換された各データを統合し、前記決定手段で決定された送付先へ提供する提供手段と
を備えることを特徴とする情報提供装置。
【請求項２】  ユーザ毎に、送信情報の送付先の指定を含むユーザ情報を保持するユーザ情報保持手段を更に備える
ことを特徴とする請求項１に記載の情報提供装置。
【請求項３】  前記指示手段の指示に応じて、前記分割手段により分割された各データを送付先のフォーマットに適合するように変換する変換手段を更に備える
ことを特徴とする請求項１に記載の情報提供装置。
【請求項４】  前記提供手段は、前記送信情報のデータ順に従って、前記変換された各データを統合する
ことを特徴とする請求項１に記載の情報提供装置。
【請求項５】  前記変換手段は、前記送付先がWorld Wide Webによる情報提供装置である場合に、前記送信情報に含まれる画像データをＪＰＥＧ形式データへ変換し、ワープロドキュメントデータをＨＴＭＬ形式データへ変換する
ことを特徴とする請求項３に記載の情報提供装置。
【請求項６】  前記変換手段は、前記送付先が携帯端末である場合に、前記送信情報に含まれる画像データを該携帯端末で表示可能な形式へ変換し、ワープロドキュメントデータを当該ドキュメントの要旨を表すテキスト列データへ変換する
ことを特徴とする請求項３に記載の情報提供装置。
【請求項７】  前記変換手段は、前記送付先がファクシミリ装置である場合に、前記送信情報に含まれる本文データ、画像データ、ワープロドキュメントデータをCCITT FAXエンコーディングによってファクシミリデータへ変換する
ことを特徴とする請求項３に記載の情報提供装置。
【請求項８】  前記ユーザ情報に基づいて、データ送付先の宛て名を表記した表紙データを生成する表紙生成手段を更に備え、
前記提供手段は、前記変換手段で得られたファクシミリデータに前記表紙データを添付して前記出力データを構成する
ことを特徴とする請求項７に記載の情報提供装置。
【請求項９】  前記変換手段において課金が生じる変換モジュールによって変換処理が実行された場合に、これに基づく課金処理を実行する課金手段を更に備える
ことを特徴とする請求項３に記載の情報提供装置。
【請求項１０】  前記ユーザ情報によって課金を禁止する設定がなされていた場合、前記課金の生じる変換モジュールを指示することを禁止する禁止手段を更に備える
ことを特徴とする請求項９に記載の情報提供装置。
【請求項１１】  送付先となる装置について機種毎に能力を登録してある機種情報を保持する機種情報保持手段を更に備え、
前記取得手段は、前記機種情報保持手段の登録内容に基づいて前記送付先の処理能力を取得する
ことを特徴とする請求項１に記載の情報提供装置。
【請求項１２】  ユーザ毎に、送信情報の送付先の指定を含むユーザ情報を保持するユーザ情報保持手段と、
ユーザへの送信情報を受信する受信手段と、
当該ユーザのユーザ情報を前記ユーザ情報保持手段より取得し、受信した前記送信情報の送付先を該ユーザ情報に基づいて決定する決定手段と、
前記送信情報に含まれるデータを内容のタイプ別に分割する分割手段と、
前記分割手段により分割された各データを、前記決定手段で決定された送付先の処理能力に適合するフォーマットに変換する変換手段と、
前記フォーマット変換された各データを統合し、前記決定手段で決定された送付先へ提供する提供手段と
を備えることを特徴とする情報提供システム。
【請求項１３】  ユーザへの送信情報を受信する受信工程と、
前記受信工程によって受信した送信情報の送付先を、当該ユーザのユーザ情報に基づいて決定する決定工程と、
前記送信情報に含まれるデータを内容のタイプ別に分割する分割工程と、
前記分割工程により分割された各データを、前記決定工程で決定された送付先の処理能力に適合するフォーマットに変換する変換モジュールを指示する指示工程と、
前記指示工程の指示に基づいて前記変換モジュールによりフォーマット変換された各データを統合し、前記決定工程で決定された送付先へ提供する提供工程と
を備えることを特徴とする情報提供方法。
【請求項１４】  ユーザ毎に、送信情報の送付先の指定を含むユーザ情報を登録するユーザ情報保持登録工程と、
ユーザへの送信情報を受信する受信工程と、
当該ユーザのユーザ情報を前記ユーザ情報登録工程で登録された登録内容より取得し、受信した前記送信情報の送付先を取得したユーザ情報に基づいて決定する決定工程と、
前記送信情報に含まれるデータを内容のタイプ別に分割する分割工程と、
前記分割工程により分割された各データを前記決定工程で決定された送付先の処理機能に適合するフォーマットに変換する変換工程と、
前記フォーマット変換された各データを統合し、前記決定工程で決定された送付先へ提供する提供工程と
を備えることを特徴とする情報提供方法。
【請求項１５】  請求項１３または１４に記載の方法をコンピュータによって実現するための制御プログラムを格納する記憶媒体。
【手続補正２】
【補正対象書類名】明細書
【補正対象項目名】００１６
【補正方法】変更
【補正の内容】
【００１６】
【課題を解決するための手段】
上記の目的を達成するための本発明の一態様による情報提供装置は、
ユーザへの送信情報を受信する受信手段と、
前記受信手段によって受信した送信情報の送付先を、当該ユーザのユーザ情報に基づいて決定する決定手段と、
前記送信情報に含まれるデータを内容のタイプ別に分割する分割手段と、
前記分割手段により分割された各データを、前記決定手段で決定された送付先の処理能力に適合するフォーマットに変換する変換モジュールを指示する指示手段と、
前記指示手段の指示に基づいて前記変換モジュールによりフォーマット変換された各データを統合し、前記決定手段で決定された送付先へ提供する提供手段とを備える。
【手続補正３】
【補正対象書類名】明細書
【補正対象項目名】００１７
【補正方法】変更
【補正の内容】
【００１７】
また、上記の目的を達成するための本発明の一態様による情報提供システムは、
ユーザ毎に、送信情報の送付先の指定を含むユーザ情報を保持するユーザ情報保持手段と、
ユーザへの送信情報を受信する受信手段と、
当該ユーザのユーザ情報を前記ユーザ情報保持手段より取得し、受信した前記送信情報の送付先を該ユーザ情報に基づいて決定する決定手段と、
前記送信情報に含まれるデータを内容のタイプ別に分割する分割手段と、
前記分割手段により分割された各データを、前記決定手段で決定された送付先の処理能力に適合するフォーマットに変換する変換手段と、
前記フォーマット変換された各データを統合し、前記決定手段で決定された送付先へ提供する提供手段とを備える。
【手続補正４】
【補正対象書類名】明細書
【補正対象項目名】００１８
【補正方法】変更
【補正の内容】
【００１８】
さらに、上記の目的を達成するための本発明の一態様による情報提供方法は、
ユーザへの送信情報を受信する受信工程と、
前記受信工程によって受信した送信情報の送付先を、当該ユーザのユーザ情報に基づいて決定する決定工程と、
前記送信情報に含まれるデータを内容のタイプ別に分割する分割工程と、
前記分割工程により分割された各データを、前記決定工程で決定された送付先の処理能力に適合するフォーマットに変換する変換モジュールを指示する指示工程と、
前記指示工程の指示に基づいて前記変換モジュールによりフォーマット変換された各データを統合し、前記決定工程で決定された送付先へ提供する提供工程とを備える。